(57)【要約】  電子装置バックアップ充電器（７０）は、充電器（７０）を電子装置に接続するための電気コネクタ（７６）が取り付けられている枢動ヘッド部（７４）が設けられたハウジング（７２）、ならびにハウジング（７２）内に設けられた電池（７８）を備える。電池（７８）はコネクタ（７６）に電気的に結合され、使用時にコネクタ（７６）は所望の角度に枢動され電子装置に接続されて電池（７８）から電話に一時的に再充電することができる。
2013509154.tif 000002
【特許請求の範囲】
【請求項１】
電子装置バックアップ充電器であって、
前記充電器を電子装置に接続するための電気コネクタが取り付けられている枢動ヘッド部が設けられたハウジングと、
前記ハウジングの内側に設けられる電池であって、前記電池が前記コネクタに電気的に結合され、使用時に前記コネクタが所望の角度に枢動され電子装置に接続されて前記電池から前記装置に一時的に再充電することができる、電池と、
を備える電子装置バックアップ充電器。
【請求項２】
前記ヘッド部が、前記コネクタが前記ハウジング内に隠れるように枢動される、請求項１に記載の電子装置バックアップ充電器。
【請求項３】
前記ハウジングが細長い円筒部分を含み、前記ヘッド部が前記円筒部分の上端部に設けられる、請求項１または請求項２に記載の電子装置バックアップ充電器。
【請求項４】
前記ヘッド部がピボットボスに枢動可能に取り付けられたピボットホイールを備え、前記電気コネクタが前記ピボットホイールから外側へ半径方向に延びるオスコネクタである、前記請求項のいずれか一項に記載の電子装置バックアップ充電器。
【請求項５】
前記電気コネクタがマイクロＵＳＢコネクタである、前記請求項のいずれか一項に記載の電子装置バックアップ充電器。
【請求項６】
前記電気コネクタが市販の電話充電器コネクタである、前記請求項１から４のいずれか一項に記載の電子装置バックアップ充電器。
【請求項７】
前記ピボットホイールが、前記ハウジングの第１のヘッド取付け部と第２のヘッド取付け部の間に枢動可能に取り付けられる、請求項４から６のいずれか一項に記載の電子装置バックアップ充電器。
【請求項８】
前記ピボットホイールには前記コネクタと前記電池の間に可撓性電気的結合部が設けられる、請求項４から７のいずれか一項に記載の電子装置バックアップ充電器。
【請求項９】
前記ピボットホイールにはその両側面上にそれぞれ第１の環状電気リボン導体および第２の環状電気リボン導体が設けられる、請求項８に記載の電子装置バックアップ充電器。
【請求項１０】
前記電池を前記ピボットホイール上の前記第１の環状リボン導体および前記第２の環状リボン導体にそれぞれ電気的に結合させるために、第１の細長い電気リボン導体および第２の細長い電気リボン導体が前記ハウジング内に設けられる、請求項９に記載の電子装置バックアップ充電器。
【請求項１１】
前記第１の細長いリボン導体が、前記第１の環状リボン導体と電気的に滑り接触するように、前記第１のヘッド取付け部を通って上方に延びる、請求項１０に記載の電子装置バックアップ充電器。
【請求項１２】
前記電池が再充電可能な電池であり、前記ハウジングには前記電池を外部充電器に接続するためのメス電気コネクタが設けられる、前記請求項のいずれか一項に記載の電子装置バックアップ充電器。
【請求項１３】
前記メスコネクタが主電源を用いて前記電池に再充電するために使用されうる、請求項１２に記載の電子装置バックアップ充電器。
【請求項１４】
前記電子装置バックアップ充電器がキーリングで携行できるくらい小さい、前記請求項のいずれか一項に記載の電子装置バックアップ充電器。
【請求項１５】
前記電子装置バックアップ充電器をキーリングまたはランヤードで携行することができるように、前記ハウジングの底部に外付けの携帯用リングが設けられる、請求項１４に記載の電子装置バックアップ充電器。
【請求項１６】
前記電子装置バックアップ充電器の前記ハウジングの長さが約２．５ｃｍ〜１０．０ｃｍである、請求項１４または請求項１５に記載の電子装置バックアップ充電器。
【請求項１７】
前記電子装置バックアップ充電器の前記ハウジングの長さが約４．０ｃｍ〜７．０ｃｍである、請求項１６に記載の電子装置バックアップ充電器。
【請求項１８】
移動電話バックアップ充電器であって、
前記充電器を移動電話に接続するための電気コネクタが取り付けられている枢動ヘッド部が設けられたハウジングと、
前記ハウジングの内側に設けられる電池であって、前記電池が前記コネクタに電気的に結合され、使用時に前記コネクタが所望の角度に枢動され移動電話に接続されて前記電池から前記電話に一時的に再充電することができる、電池と、
を備える移動電話バックアップ充電器。
【請求項１９】
前記ヘッド部が、前記コネクタが前記ハウジング内に隠れるように枢動されうる、請求項１に記載の移動電話バックアップ充電器。
【請求項２０】
前記ハウジングが細長い円筒部分を含み、前記ヘッド部が前記円筒部分の上端部に設けられる、請求項１または請求項２に記載の移動電話バックアップ充電器。
【請求項２１】
前記ヘッド部がピボットボスに枢動可能に取り付けられたピボットホイールを備え、前記電気コネクタが前記ピボットホイールから外側へ半径方向に延びるオスコネクタである、前記請求項のいずれか一項に記載の移動電話バックアップ充電器。
【請求項２２】
前記電気コネクタがマイクロＵＳＢコネクタである、前記請求項のいずれか一項に記載の移動電話バックアップ充電器。
【請求項２３】
前記電気コネクタが市販の電話充電器コネクタである、前記請求項１から４のいずれか一項に記載の移動電話バックアップ充電器。
【請求項２４】
前記ピボットホイールが、前記ハウジングの第１のヘッド取付け部と第２のヘッド取付け部の間に枢動可能に取り付けられる、請求項４から６のいずれか一項に記載の移動電話バックアップ充電器。
【請求項２５】
前記ピボットホイールには前記コネクタと前記電池の間に可撓性電気的結合部が設けられる、請求項４から７のいずれか一項に記載の移動電話バックアップ充電器。
【請求項２６】
前記ピボットホイールにはその両側面上にそれぞれ第１の環状電気リボン導体および第２の環状電気リボン導体が設けられる、請求項８に記載の移動電話バックアップ充電器。
【請求項２７】
前記電池を前記ピボットホイール上の前記第１の環状リボン導体および前記第２の環状リボン導体にそれぞれ電気的に結合させるために、第１の細長い電気リボン導体および第２の細長い電気リボン導体が前記ハウジング内に設けられる、請求項９に記載の移動電話バックアップ充電器。
【請求項２８】
実質的に、添付図面のうちのいずれか１つまたは複数を参照して説明されかつ添付図面のうちのいずれか１つまたは複数に示されている、電子装置バックアップ充電器。
【発明の詳細な説明】
【技術分野】
【０００１】
本発明は、電子装置に再充電するための電源コンセントを利用できないときに、電池が充電不足になった移動電話（ｍｏｂｉｌｅ  ｐｈｏｎｅ）などの電子装置に再充電するために使用することができる電子装置バックアップ充電器に関する。
【背景技術】
【０００２】
移動電話または携帯電話は現在、事実上すべての人にとってどこへ行くにも携行する標準品目になっている。現世代の移動電話は、インターネットアクセス機能、電子メール機能、および個人用オーガナイザ（ＰＤＡ）の特徴をすべて含む多くの高度な特徴を有する。したがって、多くの人々は、個人的な通信のためだけでなくビジネスや仕事のためにも移動電話に非常に依存するようになってきている。そのような人々にとって、移動電話は、そのすべての機能が利用されうるように一日中充電されたままであることが非常に重要である。しかし、電話の充電が丸一日は持ちこたえられない場合が必ず起こる。これは、例えば、何回かの長い通話が行われた場合、あるいはユーザが前の晩に電話に再充電するのを忘れていたときに起こりうる。ユーザが移動中であるか、またはその他の理由で電源コンセントを利用できない場合、電話に再充電するのは不可能となりうる。これは非常に不便となりうる。
【発明の概要】
【発明が解決しようとする課題】
【０００３】
本発明は、電池が充電不足になった場合に電話に再充電するために容易に携行することができる電子装置バックアップ充電器を提供する目的で開発された。この装置は、ＰＤＡや小型デジタルカメラなどの他の多くの電子装置に再充電するために使用されうることが明らかであろう。
【０００４】
本明細書における従来技術の参照は、例示目的で提供されているにすぎず、かかる従来技術がオーストラリアや他の国において共通一般知識の一部であると認めたと受け取られるべきでない。
【課題を解決するための手段】
【０００５】
本発明の一態様によれば、電子装置バックアップ充電器であって、
充電器を電子装置に接続するための電気コネクタが取り付けられている枢動ヘッド部が設けられたハウジングと、
ハウジングの内側に設けられる電池であって、電池がコネクタに電気的に結合され、使用時にコネクタが所望の角度に枢動され電子装置に接続されて電池から電話に一時的に再充電することができる、電池と、
を備える電子装置バックアップ充電器が提供される。
【０００６】
ヘッド部は、コネクタがハウジング内に隠れるように枢動されうることが有利である。好ましい一実施形態では、ハウジングは細長い円筒部分を含み、ヘッド部は円筒部分の上端部に設けられる。ヘッド部はピボットボスに枢動可能に取り付けられたピボットホイール）を備え、電気コネクタはピボットホイールから外側へ半径方向に延びるオスコネクタであることが好ましい。電気コネクタはマイクロＵＳＢコネクタであることが好ましい。あるいは、電気コネクタはＮｏｋｉａコネクタなどの市販の電話充電器コネクタでもよい。
【０００７】
ピボットホイールは、ハウジングの第１のヘッド取付け部と第２のヘッド取付け部の間に枢動可能に取り付けられることが好ましい。ピボットホイールにはコネクタと電池の間に可撓性電気的結合部が設けられることが好ましい。ピボットホイールにはその両側面上にそれぞれ第１の環状電気リボン導体および第２の環状電気リボン導体が設けられると有利である。好ましくは、電池をピボットホイール上の第１の環状リボン導体および第２の環状リボン導体にそれぞれ電気的に結合させるために、第１の細長い電気リボン導体および第２の細長い電気リボン導体がハウジング内に設けられる。第１の細長いリボン導体は、第１の環状リボン導体と電気的に滑り接触するように、第１のヘッド取付け部を通って上方に延びることが好ましい。第２の細長いリボン導体は、第２の環状リボン導体と電気的に滑り接触するように、第２のヘッド取付け部を通って上方に延びることが好ましい。
【０００８】
電池は再充電可能な電池であり、ハウジングには電池を外部充電器に接続するためのメス電気コネクタが設けられることが好ましい。メスコネクタは、主電源を用いて電池に再充電するために使用されうることが好ましい。
【０００９】
電子装置バックアップ充電器はキーリングで携行できるくらい小さいと有利である。好ましくは、電子装置バックアップ充電器をキーリングまたはランヤードで携行することができるように、ハウジングの底部に外付けの携帯用リングが設けられる。典型的には、電子装置バックアップ充電器のハウジングの長さは約２．５ｃｍ〜１０．０ｃｍである。より典型的には、電子装置バックアップ充電器のハウジングの長さは約４．０ｃｍ〜７．０ｃｍである。
【００１０】
本発明はさらに、移動電話バックアップ充電器であって、
充電器を移動電話に接続するための電気コネクタが取り付けられている枢動ヘッド部が設けられたハウジングと、
ハウジングの内側に設けられる電池であって、電池がコネクタに電気的に結合され、使用時にコネクタが所望の角度に枢動され移動電話に接続されて電池から電話に一時的に再充電することができる、電池と、
を備える移動電話バックアップ充電器を提供する。
【００１１】
ヘッド部は、コネクタがハウジング内に隠れるように枢動されうることが好ましい。ハウジングは細長い円筒部分を含み、ヘッド部は円筒部分の上端部に設けられることが好ましい。
【００１２】
ヘッド部はピボットボスに枢動可能に取り付けられたピボットホイールを備え、電気コネクタはピボットホイールから外側へ半径方向に延びるオスコネクタであることが好ましい。
【００１３】
典型的には、電気コネクタはマイクロＵＳＢコネクタである。あるいは、電気コネクタは市販の電話充電器コネクタでもよい。
【００１４】
ピボットホイールは、ハウジングの第１のヘッド取付け部と第２のヘッド取付け部の間に枢動可能に取り付けられることが好ましい。ピボットホイールにはコネクタと電池の間に可撓性電気的結合部を設けることができる。ピボットホイールにはその両側面上にそれぞれ第１の環状電気リボン導体および第２の環状電気リボン導体が設けられることが好ましい。
【００１５】
好ましくは、電池をピボットホイール上の第１の環状リボン導体および第２の環状リボン導体にそれぞれ電気的に結合させるために、第１の細長い電気リボン導体および第２の細長い電気リボン導体がハウジング内に設けられる。
【００１６】
本明細書を通じて、特に断らない限り、「備える（ｃｏｍｐｒｉｓｅ）」という用語または「備える（ｃｏｍｐｒｉｓｅｓ）」や「備える（ｃｏｍｐｒｉｓｉｎｇ）」などの変形は、定まった完全体または完全体群を包含するが、他の完全体または完全体群を除外するものではないことを含意することを理解されたい。同様に、「好ましくは（ｐｒｅｆｅｒａｂｌｙ）」という用語または「好ましい（ｐｒｅｆｅｒｒｅｄ）」などの変形は、定まった完全体または完全体群が望ましいが、本発明の実施に必須ではないことを含意することを理解されたい。
【００１７】
本発明の性質は、添付図面を参照して単に例として与えられる、電子装置バックアップ充電器の好ましい諸実施形態の以下の詳細な説明からより良く理解されるであろう。
【図面の簡単な説明】
【００１８】
【図１（ａ）】充電器を電子装置に接続するための電気コネクタの様々な位置を示す、本発明による電子装置バックアップ充電器の第１の実施形態の一連の上面斜視図である。
【図１（ｂ）】充電器を電子装置に接続するための電気コネクタの様々な位置を示す、本発明による電子装置バックアップ充電器の第１の実施形態の一連の上面斜視図である。
【図１（ｃ）】充電器を電子装置に接続するための電気コネクタの様々な位置を示す、本発明による電子装置バックアップ充電器の第１の実施形態の一連の上面斜視図である。
【図１（ｄ）】充電器を電子装置に接続するための電気コネクタの様々な位置を示す、本発明による電子装置バックアップ充電器の第１の実施形態の一連の上面斜視図である。
【図１（ｅ）】充電器を電子装置に接続するための電気コネクタの様々な位置を示す、本発明による電子装置バックアップ充電器の第１の実施形態の一連の上面斜視図である。
【図１（ｆ）】充電器を電子装置に接続するための電気コネクタの様々な位置を示す、本発明による電子装置バックアップ充電器の第１の実施形態の一連の上面斜視図である。
【図２】図１の電子装置バックアップ充電器の分解上面斜視図である。
【図３】ピボットホイールがハウジングに連結される方法を示す、図１の電子装置バックアップ充電器の拡大上面斜視図である。
【図４（ａ）】図１の電子装置バックアップ充電器の平面図である。
【図４（ｂ）】図４（ａ）の線Ａ‐Ａを通る断面図である。
【図５（ａ）】図１の電子装置バックアップ充電器の側面図である。
【図５（ｂ）】図５（ａ）の線Ｂ‐Ｂを通る断面図である。
【図６（ａ）】充電器を電子装置に接続するための電気コネクタの様々な位置を示す、本発明による電子装置バックアップ充電器の第２の実施形態の一連の上面斜視図である。
【図６（ｂ）】充電器を電子装置に接続するための電気コネクタの様々な位置を示す、本発明による電子装置バックアップ充電器の第２の実施形態の一連の上面斜視図である。
【図６（ｃ）】充電器を電子装置に接続するための電気コネクタの様々な位置を示す、本発明による電子装置バックアップ充電器の第２の実施形態の一連の上面斜視図である。
【図６（ｄ）】充電器を電子装置に接続するための電気コネクタの様々な位置を示す、本発明による電子装置バックアップ充電器の第２の実施形態の一連の上面斜視図である。
【図６（ｅ）】充電器を電子装置に接続するための電気コネクタの様々な位置を示す、本発明による電子装置バックアップ充電器の第２の実施形態の一連の上面斜視図である。
【図７】図６の電子装置バックアップ充電器の分解上面斜視図である。
【図８】ピボットホイールがハウジングに連結される方法を示す、図６の電子装置バックアップ充電器の拡大上面斜視図である。
【図９】図６（ｂ）または図６（ｄ）の電子装置バックアップ充電器の断面図である。
【図１０】図６の電子装置バックアップ充電器を、電池を収容する円筒部分からヘッド部がねじって外された状態で示す図である。
【図１１（ａ）】バックアップ充電器のヘッド部に種々のアダプタ（ｂ）〜（ｆ）を取り付けることができる方法を示す、図６の実施形態の上面斜視図である。
【図１２】バックアップ充電器の下端部にマルチヘッドアダプタを取り付けることができる方法を示す、図６の実施形態の下面斜視図である。
【図１３（ａ）】バックアップ充電器の下端部に種々のシングルヘッドアダプタ（ｂ）〜（ｆ）を取り付けることができる方法を示す、図６の実施形態の下面斜視図である。
【発明を実施するための形態】
【００１９】
本発明による電子装置バックアップ充電器１０の第１の実施形態は、図１〜図５に示されているように、枢動ヘッド部１４が設けられたハウジング１２を備える。ヘッド部１４には、充電器１０を移動電話（図示せず）に接続するための電気コネクタ１６が取り付けられている。図２および図４（ｂ）で最もはっきりと分かるように、電池１８がハウジング１２の内側に設けられる。電池１８はコネクタ１６に電気的に結合される。使用時に、コネクタ１６は、図１に示されているように任意所望の角度に枢動され、移動電話に接続されて電池１８から電話に一時的に再充電することができる。
【００２０】
電池１８は、充電回路２０を介してコネクタ１６に結合することができる。充電回路２０は、電池１８から電子装置に安定化再充電電流および／または電圧を供給するための従来の電池充電回路とすることができる。あるいは、充電回路２０は、電池１８とコネクタ１６の間の（したがって電子装置に対する）直接的な電気接続を可能にすることができる。ほとんどの場合、電子装置にはそれ自体の内部充電回路が設けられ、電池充電器は、主電源からの比較的高い電圧の交流電力を低電圧の直流電力に変換するためのアダプタにすぎない。
【００２１】
この実施形態では、ハウジング１２は細長い円筒体１３を含み、円筒体１３の上端部には枢動ヘッド部１４が取り付けられたヘッド１５が設けられる。ヘッド部１４は、図１（ｆ）に示されているように、コネクタ１６がハウジング１２内に隠れるように枢動されうることが有利である。ヘッド部１４はピボットボス２６に枢動可能に取り付けられたピボットホイール２２を備え、電気コネクタ１６はピボットホイール２２から外側へ半径方向に延びるオスコネクタであることが好ましい。
【００２２】
この実施形態では、電気コネクタ１６は、標準的なＮｏｋｉａ移動電話充電器コネクタである。しかし、コネクタ１６を異なる電子装置の入力ジャック、例えば、標準的なＮｏｋｉａ移動電話充電器コネクタ、またはｉＰｈｏｎｅもしくはＢｌａｃｋｂｅｒｒｙ  ＰＤＡ用の入力ジャックに接続するために、種々のアダプタ（図示せず）が電子装置バックアップ充電器１０に付属されることがある。
【００２３】
ピボットホイール２２は、ヘッド１５の第１のヘッド取付け部２８ａと第２のヘッド取付け部２８ｂとの間に枢動可能に取り付けられる。ホイール２２、第１の取付け部２８ａ、および第２の取付け部２８ｂは、ホイール２２用のピボットボス２６を挿通するねじ２４によって互いに保持される。図２および図３で最もはっきりと分かるように、第１のヘッド取付け部２８ａおよび第２のヘッド取付け部２８ｂは、互いに接合されたときに凹所３２を形成するように成形される。凹所３２は、ピボットホイール２２がコネクタ１６の隠れる位置まで枢動されたときにコネクタ１６を凹所３２内に受け入れるような形状にされる。コネクタ１６は通常、バックアップ充電器１０が使用されていないときに隠れる位置まで枢動される。ピボットホイール２２の周辺部には、指または親指でのピボットホイールの枢動運動を容易にするために、グリップ面を形成するように複数のくぼみが設けられる。
【００２４】
コネクタ１６を任意所望の角度に枢動できるようにするために、ピボットホイール２２にはコネクタ１６と電池１８の間に可撓性電気的結合部が設けられる。この目的のために、ピボットホイール２２にはその両側面上にそれぞれ第１の環状電気リボン導体３０ａおよび第２の環状電気リボン導体３０ｂが設けられる。図４（ｂ）で分かるように、コネクタ１６の末端はそれぞれ、導体３４ａおよび３４ｂによってそれぞれリボン導体３０ａおよび３０ｂに電気的に接続される。電池１８をピボットホイール２２上の第１の環状リボン導体３０ａおよび第２の環状リボン導体３０ｂにそれぞれ電気的に結合させるために、第１の細長い電気リボン導体３６および第２の細長い電気リボン導体３８が細長いハウジング１２内に設けられる。
【００２５】
図２で最もはっきりと分かるように、第１の細長いリボン導体３６は、第１の環状リボン導体３０ａと電気的に滑り接触するように、円筒部分１３の下端部から第１のヘッド取付け部２８ａを通って上方に延びる。一方、図３で最もはっきりと分かるように、第２の細長いリボン導体３８は、第２の環状リボン導体３０ｂと電気的に滑り接触するように、電池１８の上方に取り付けられた円形ＰＣＢ（プリント回路板）４０から第２のヘッド取付け部２８ｂを通って延びる（図４も参照のこと）。ＰＣＢ４０は上記の充電回路２０を含む。ＰＣＢ４０にはその下面上に、電池１８の一端と電気的に接触するための電気接点４２が設けられる。ハウジング１２の下端部に設けられた金属小円板４４は、電池１８の他端との電気接点を提供する。第１の細長いリボン導体３６はその下端部で小円板４４に電気的に接続される。
【００２６】
この実施形態では、電池１８は再充電可能な電池であり、円筒部分１３にはその底部内に電池１８を外部の電池充電器（図示せず）に接続するためのメス電気コネクタ４６が設けられる。充電回路２０は、外部の電池充電器から電池１８に安定化再充電電流および／または電圧を供給するための簡単な電池充電回路を含むこともできる。この目的のために、ＰＣＢ４０上の充電回路２０からハウジング１２の円筒部分１３の底部内のメスコネクタ４６までハウジング１２内を長手方向に延びる第３の細長い電気リボン導体４８が設けられる。メスコネクタ４６は、例えば、移動電話充電器、マイクロＵＳＢコネクタまたは他の適当なアダプタを経由して電子装置バックアップ充電器１０に再充電するために、主電源に好都合に接続することができる。
【００２７】
電子装置バックアップ充電器１０はキーリングで携行できるくらい小さく、典型的にはキーとほぼ同じ長さであると有利である。電池１８は通常、定格電圧が１．２〜１．５ボルトの再充電可能な単４電池である。しかし、電池は、必要に応じて別の適当な電圧のものでもよい。典型的には、電子装置バックアップ充電器のハウジング１２の長さは約２．５ｃｍ〜１０．０ｃｍである。より典型的には、電子装置バックアップ充電器のハウジングの長さは約４．０ｃｍ〜７．０ｃｍである。ハウジング１２は、射出成形されたプラスチック材料から製造されることが好ましい。携行しやすいようにハウジング１２をキーリングまたはランヤードでつるすことができるように、外付けの携帯用リング５０がハウジング１２の底部に設けられる。
【００２８】
本発明による電子装置バックアップ充電器７０の第２の実施形態は、図６〜図１３に示されているように、枢動ヘッド部７４が設けられたハウジング７２を備える。ヘッド部７４には、充電器７０を移動電話（図示せず）に接続するための電気コネクタ７６が取り付けられている。図７および図９（ｂ）で最もはっきりと分かるように、電池７８がハウジング７２の内側に設けられる。電池はコネクタ７６に電気的に結合される。使用時に、コネクタ７６は、図６に示されているように任意所望の角度に枢動され、移動電話に接続されて電池７８から電話に一時的に再充電することができる。
【００２９】
電池７８は、充電回路８０を介してコネクタ７６に結合することができる。充電回路８０は、電池７８から移動電話に安定化再充電電流および／または電圧を供給するための従来の電池充電回路とすることができる。あるいは、充電回路８０は、電池７８とコネクタ７６の間の（したがって移動電話に対する）直接的な電気接続を可能にすることができる。ほとんどの場合、電子装置にはそれ自体の内部充電回路が設けられ、電池充電器は、主電源からの比較的高い電圧の交流電力を低電圧の直流電力に変換するためのアダプタにすぎない。
【００３０】
ハウジング７２は細長い円筒体７３も含み、円筒体７３の上端部には枢動ヘッド部７４が取り付けられたヘッド７５が設けられる。ヘッド部７４は、図６（ｅ）および図１０に示されているように、コネクタ７６がハウジング７２のヘッド７５内に隠れるように枢動されうることが有利である。ヘッド部７４はピボットボス８６に枢動可能に取り付けられたピボットホイール８２を備え、電気コネクタ７６はピボットホイール８２から外側へ半径方向に延びるオスコネクタであることが好ましい。
【００３１】
この実施形態では、電気コネクタ７６は、現在、世界標準として主要な移動電話製造業者によって受け入れられている標準的なマイクロＵＳＢコネクタである。しかし、コネクタ７６を異なる電子装置の入力ジャックに接続するために、種々のアダプタ１０８（図１１参照）が電子装置バックアップ充電器７０に付属されることがある。この種のアダプタは、世界標準がより広く採用されてくると不必要になるであろう。図１１は、コネクタ７６を種々の電子装置入力ジャックに接続するための種々のアダプタ１０８ａ〜１０８ｅを示す。
【００３２】
ピボットホイール８２は、ハウジング７２の第１のヘッド取付け部８８ａと第２のヘッド取付け部８８ｂとの間に枢動可能に取り付けられる。ヘッド７５のホイール８２、第１のヘッド取付け部８８ａ、および第２のヘッド取付け部８８ｂは、ホイール８２用のピボットボス８６を挿通するねじ８４と外部リングクリップ１１８とによって互いに保持される。図７および図８で最もはっきりと分かるように、第１のヘッド取付け部８８ａおよび第２のヘッド取付け部８８ｂは、それらが互いに接合されたときに凹所９２を形成するように成形される。前の実施形態とは異なり、凹所９２はヘッド７５の一方の側面から他方の側面まで延びており、したがってピボットホイール８２は３６０°枢動することができる。したがって、凹所９２は、ピボットホイール８２がコネクタ７６の隠れる位置までいずれかの方向に枢動されたときにコネクタ７６を凹所９２内に受け入れるように構成される。
【００３３】
コネクタ７６を任意所望の角度に枢動できるようにするために、ピボットホイール８２にはコネクタ７６と電池７８の間に可撓性電気的結合部が設けられる。この目的のために、ピボットホイール８２にはその両側面上にそれぞれ第１の環状電気リボン導体９０ａおよび第２の環状電気リボン導体９０ｂが設けられる。図９（ｂ）で分かるように、コネクタ７６の末端はそれぞれ、内部導体９４ａおよび９４ｂ（見えない）によってそれぞれリボン導体９０ａおよび９０ｂに電気的に接続される。電池７８をピボットホイール８２上の第１の環状リボン導体９０ａおよび第２の環状リボン導体９０ｂにそれぞれ電気的に結合させるために、第１の細長い電気リボン導体９６および第２の細長い電気リボン導体９８が細長いハウジング７２内に設けられる。
【００３４】
図７および図８で最もはっきりと分かるように、第１の細長いリボン導体９６は、円筒体７３の下端部から円形ＰＣＢ（プリント回路板）１００の下側に隣接しかつ電池７８の上方に取り付けられた環状電気接点１１０に至るまで延びる。一方、図８で最もはっきりと分かるように、第２の細長いリボン導体９８は、第２の環状リボン導体９０ｂと電気的に滑り接触するように、ＰＣＢ１００から第２のヘッド取付け部８８ｂを通って延びる（図９も参照のこと）。ＰＣＢ１００は上記の充電回路８０を含むことができる。ＰＣＢ１００にはその下面上に、電池７８の一端と電気的に接触するための電気接点１０２も設けられる。ハウジング７２の下端部に設けられた金属小円板１０４は、ばね１０６を介して電池７８の他端部との電気接点を提供する。第１の細長いリボン導体９６はその下端部で小円板１０４に電気的に接続される。
【００３５】
図９および図１０に示されているように、ヘッド７５は、組み付けられた状態で、ねじ８４およびリングクリップ１１８によって互いに保持される。ヘッド７５は、ねじ付きアタッチメントによってハウジング７２の円筒体７３に取り付けられる。この目的のために、ヘッド７５の底部には、ハウジングの円筒体７３の上端部に設けられたおねじに適合するめねじが設けられる。リングクリップ１１８は、ヘッド７５の下端部に、すなわちめねじの領域の外表面上に設けられ、螺合連結を維持するのに役立つ。この実施形態では、電池７８は非充電式単４電池である。電池７８を交換することが所望される場合、図１０に示されているように、ヘッド７５はハウジング７２の残り部分から容易にねじって外され切り離すことができる。
【００３６】
図１２は、電子装置製造業者によって供給されている様々な電子装置充電器への充電器７０の接続を容易にするために、充電器７０の下端部にあるメスコネクタ８６に差し込むことができるマルチヘッドアダプタ１１２ａを示す。マルチヘッドアダプタ１１２ａは、標準ＵＳＢコネクタ（メス）１１４、ならびにｉＰｈｏｎｅコネクタ（メス）１１６を具備する。有利には、マルチヘッドアダプタ１１２ａは移動電話用の標準的なドッキングステーション（充電器）で使用することもできる。図１３に示されているように、充電器７０を電子装置製造業者によって供給される様々な電子装置充電器に接続するために、種々のシングルヘッドアダプタ１１２ｂ〜１１２ｆが供給されることもある。
【００３７】
電子装置バックアップ充電器７０のサイズおよび典型的な寸法は、第１の実施形態１０のものとほぼ同じである。電子装置バックアップ充電器７０をキーリングまたはランヤードで携行することができるように、ハウジング１２の底部に外付けの携帯用リング１２０が設けられる。
【００３８】
電子装置バックアップ充電器の好ましい諸実施形態について詳細に説明してきたので、上述の諸実施形態が以下を含む従来技術に勝るいくつかの利点を提供することは明らかであろう。
【００３９】
（ｉ）上述の諸実施形態は設計が小型でコンパクトであるので、緊急用に電子装置と共にいつでも容易に携行することができる。
【００４０】
（ｉｉ）上述の諸実施形態は再充電可能とすることができるので、複数回使用することができ、かつ／または、非充電式電池は新しい電池に容易に置き換えることができる。
【００４１】
（ｉｉｉ）枢動ヘッドの設計により、電話を使用しているときにバックアップ充電器を電子装置に接続し、電話と一緒に片手で持つことが可能になる。
【００４２】
（ｉｖ）枢動ヘッドの設計により、電気コネクタは、使用していないときに導電物体と接触するために充電が不注意に失われることのないように、隠すことが可能になる。
【００４３】
（ｖ）電子装置バックアップ充電器は主電源を用いて容易に再充電することができる。
【００４４】
既述のものに加えて、本発明の基本的な発明概念から逸脱することなく、前述の諸実施形態に様々な修正および改良を加えることができることが当業者には容易に明らになるであろう。例えば、ハウジングは電池を収容するように円筒形の設計になっているが、ハウジングは任意所望の形状に成形することもできる。したがって、本発明の範囲は上述の特定の実施形態に限定されるものではなく、添付の特許請求の範囲から決定されるべきであることが理解されよう。
【図１（ａ）】
2013509154.tif 000003
【図１（ｂ）】
2013509154.tif 000004
【図１（ｃ）】
2013509154.tif 000005
【図１（ｄ）】
2013509154.tif 000006
【図１（ｅ）】
2013509154.tif 000007
【図１（ｆ）】
2013509154.tif 000008
【図２】
2013509154.tif 000009
【図３】
2013509154.tif 000010
【図４（ａ）】
2013509154.tif 000011
【図４（ｂ）】
2013509154.tif 000012
【図５（ａ）】
2013509154.tif 000013
【図５（ｂ）】
2013509154.tif 000014
【図６（ａ）】
2013509154.tif 000015
【図６（ｂ）】
2013509154.tif 000016
【図６（ｃ）】
2013509154.tif 000017
【図６（ｄ）】
2013509154.tif 000018
【図６（ｅ）】
2013509154.tif 000019
【図７】
2013509154.tif 000020
【図８】
2013509154.tif 000021
【図９】
2013509154.tif 000022
【図１０】
2013509154.tif 000023
【図１１】
2013509154.tif 000024
【図１２】
2013509154.tif 000025
【図１３（ａ）】
2013509154.tif 000026
【図１３（ｂ）】
2013509154.tif 000027
【図１３（ｃ）】
2013509154.tif 000028
【図１３（ｄ）】
2013509154.tif 000029
【図１３（ｅ）】
2013509154.tif 000030
【図１３（ｆ）】
2013509154.tif 000031
【手続補正書】
【提出日】平成24年1月20日(2012.1.20)
【手続補正１】
【補正対象書類名】明細書
【補正対象項目名】０００５
【補正方法】変更
【補正の内容】
【０００５】
本発明の一態様によれば、電子装置バックアップ充電器であって、
充電器を電子装置に直接接続するための電気コネクタが取り付けられている枢動ヘッド部が設けられたハウジングであって、ヘッド部がピボットホイールを備え、ピボットホイールにはその周縁上にピボットホイールを指または親指で動かすのを容易にするグリップ面が設けられる、ハウジングと、
ハウジングの内側に設けられる電池であって、電池がコネクタに電気的に結合され、使用時にコネクタが所望の角度に枢動され電子装置に接続されて電池から電話に一時的に再充電することができる、電池と、
を備える電子装置バックアップ充電器が提供される。
【手続補正２】
【補正対象書類名】明細書
【補正対象項目名】０００６
【補正方法】変更
【補正の内容】
【０００６】
ヘッド部は、コネクタがハウジング内に隠れるように枢動されうることが有利である。好ましい一実施形態では、ハウジングは細長い円筒部分を含み、ヘッド部は円筒部分の上端部に設けられる。ピボットホイールはピボットボスに枢動可能に取り付けられ、電気コネクタはピボットホイールから外側へ半径方向に延びるオスコネクタであることが好ましい。電気コネクタはマイクロＵＳＢコネクタであることが好ましい。あるいは、電気コネクタはＮｏｋｉａコネクタなどの市販の電話充電器コネクタでもよい。
【手続補正３】
【補正対象書類名】明細書
【補正対象項目名】００１０
【補正方法】変更
【補正の内容】
【００１０】
本発明はさらに、移動電話バックアップ充電器であって、
充電器を移動電話に直接接続するための電気コネクタが取り付けられている枢動ヘッド部が設けられたハウジングであって、ヘッド部がピボットホイールを備え、ピボットホイールにはその周縁上にピボットホイールを指または親指で動かすのを容易にするグリップ面が設けられる、ハウジングと、
ハウジングの内側に設けられる電池であって、電池がコネクタに電気的に結合され、使用時にコネクタが所望の角度に枢動され移動電話に接続されて電池から電話に一時的に再充電することができる、電池と、
を備える移動電話バックアップ充電器を提供する。
【手続補正４】
【補正対象書類名】明細書
【補正対象項目名】００１２
【補正方法】変更
【補正の内容】
【００１２】
ピボットホイールはピボットボスに枢動可能に取り付けられ、電気コネクタはピボットホイールから外側へ半径方向に延びるオスコネクタであることが好ましい。
【手続補正５】
【補正対象書類名】特許請求の範囲
【補正対象項目名】全文
【補正方法】変更
【補正の内容】
【特許請求の範囲】
【請求項１】
電子装置バックアップ充電器であって、
前記充電器を電子装置に直接接続するための電気コネクタが取り付けられている枢動ヘッド部が設けられたハウジングであって、前記ヘッド部がピボットホイールを備え、前記ピボットホイールにはその周縁上に前記ピボットホイールを指または親指で動かすのを容易にするグリップ面が設けられる、ハウジングと、
前記ハウジングの内側に設けられる電池であって、前記電池が前記コネクタに電気的に結合され、使用時に前記コネクタが所望の角度に枢動され電子装置に接続されて前記電池から前記装置に一時的に再充電することができる、電池と、
を備える電子装置バックアップ充電器。
【請求項２】
前記ヘッド部が、前記コネクタが前記ハウジング内に隠れるように枢動される、請求項１に記載の電子装置バックアップ充電器。
【請求項３】
前記ハウジングが細長い円筒部分を含み、前記ヘッド部が前記円筒部分の上端部に設けられる、請求項１または請求項２に記載の電子装置バックアップ充電器。
【請求項４】
前記ピボットホイールがピボットボスに枢動可能に取り付けられ、前記電気コネクタが前記ピボットホイールから外側へ半径方向に延びるオスコネクタである、前記請求項のいずれか一項に記載の電子装置バックアップ充電器。
【請求項５】
前記電気コネクタがマイクロＵＳＢコネクタである、前記請求項のいずれか一項に記載の電子装置バックアップ充電器。
【請求項６】
前記電気コネクタが市販の電話充電器コネクタである、前記請求項１から４のいずれか一項に記載の電子装置バックアップ充電器。
【請求項７】
前記ピボットホイールが、前記ハウジングの第１のヘッド取付け部と第２のヘッド取付け部の間に枢動可能に取り付けられる、請求項４から６のいずれか一項に記載の電子装置バックアップ充電器。
【請求項８】
前記ピボットホイールには前記コネクタと前記電池の間に可撓性電気的結合部が設けられる、請求項４から７のいずれか一項に記載の電子装置バックアップ充電器。
【請求項９】
前記ピボットホイールにはその両側面上にそれぞれ第１の環状電気リボン導体および第２の環状電気リボン導体が設けられる、請求項８に記載の電子装置バックアップ充電器。
【請求項１０】
前記電池を前記ピボットホイール上の前記第１の環状リボン導体および前記第２の環状リボン導体にそれぞれ電気的に結合させるために、第１の細長い電気リボン導体および第２の細長い電気リボン導体が前記ハウジング内に設けられる、請求項９に記載の電子装置バックアップ充電器。
【請求項１１】
前記第１の細長いリボン導体が、前記第１の環状リボン導体と電気的に滑り接触するように、前記第１のヘッド取付け部を通って上方に延びる、請求項１０に記載の電子装置バックアップ充電器。
【請求項１２】
前記電池が再充電可能な電池であり、前記ハウジングには前記電池を外部充電器に接続するためのメス電気コネクタが設けられる、前記請求項のいずれか一項に記載の電子装置バックアップ充電器。
【請求項１３】
前記メスコネクタが主電源を用いて前記電池に再充電するために使用されうる、請求項１２に記載の電子装置バックアップ充電器。
【請求項１４】
前記電子装置バックアップ充電器がキーリングで携行できるくらい小さい、前記請求項のいずれか一項に記載の電子装置バックアップ充電器。
【請求項１５】
前記電子装置バックアップ充電器をキーリングまたはランヤードで携行することができるように、前記ハウジングの底部に外付けの携帯用リングが設けられる、請求項１４に記載の電子装置バックアップ充電器。
【請求項１６】
前記電子装置バックアップ充電器の前記ハウジングの長さが約２．５ｃｍ〜１０．０ｃｍである、請求項１４または請求項１５に記載の電子装置バックアップ充電器。
【請求項１７】
前記電子装置バックアップ充電器の前記ハウジングの長さが約４．０ｃｍ〜７．０ｃｍである、請求項１６に記載の電子装置バックアップ充電器。
【請求項１８】
移動電話バックアップ充電器であって、
前記充電器を移動電話に直接接続するための電気コネクタが取り付けられている枢動ヘッド部が設けられたハウジングであって、前記ヘッド部がピボットホイールを備え、前記ピボットホイールにはその周縁上に前記ピボットホイールを指または親指で動かすのを容易にするグリップ面が設けられる、ハウジングと、
前記ハウジングの内側に設けられる電池であって、前記電池が前記コネクタに電気的に結合され、使用時に前記コネクタが所望の角度に枢動され移動電話に接続されて前記電池から前記電話に一時的に再充電することができる、電池と、
を備える移動電話バックアップ充電器。
【請求項１９】
前記ヘッド部が、前記コネクタが前記ハウジング内に隠れるように枢動されうる、請求項１８に記載の移動電話バックアップ充電器。
【請求項２０】
前記ハウジングが細長い円筒部分を含み、前記ヘッド部が前記円筒部分の上端部に設けられる、請求項１８または請求項１９に記載の移動電話バックアップ充電器。
【請求項２１】
前記ピボットホイールがピボットボスに枢動可能に取り付けられ、前記電気コネクタが前記ピボットホイールから外側へ半径方向に延びるオスコネクタである、請求項１８から２０のいずれか一項に記載の移動電話バックアップ充電器。
【請求項２２】
前記電気コネクタがマイクロＵＳＢコネクタである、請求項１８から２１のいずれか一項に記載の移動電話バックアップ充電器。
【請求項２３】
前記電気コネクタが市販の電話充電器コネクタである、前記請求項１８から２１のいずれか一項に記載の移動電話バックアップ充電器。
【請求項２４】
前記ピボットホイールが、前記ハウジングの第１のヘッド取付け部と第２のヘッド取付け部の間に枢動可能に取り付けられる、請求項１８から２３のいずれか一項に記載の移動電話バックアップ充電器。
【請求項２５】
前記ピボットホイールには前記コネクタと前記電池の間に可撓性電気的結合部が設けられる、請求項１８から２４のいずれか一項に記載の移動電話バックアップ充電器。
【請求項２６】
前記ピボットホイールにはその両側面上にそれぞれ第１の環状電気リボン導体および第２の環状電気リボン導体が設けられる、請求項２５に記載の移動電話バックアップ充電器。
【請求項２７】
前記電池を前記ピボットホイール上の前記第１の環状リボン導体および前記第２の環状リボン導体にそれぞれ電気的に結合させるために、第１の細長い電気リボン導体および第２の細長い電気リボン導体が前記ハウジング内に設けられる、請求項２６に記載の移動電話バックアップ充電器。
【請求項２８】
実質的に、添付図面のうちのいずれか１つまたは複数を参照して説明されかつ添付図面のうちのいずれか１つまたは複数に示されている、電子装置バックアップ充電器。
【国際調査報告】
2013509154.tif 000032
2013509154.tif 000033
2013509154.tif 000034
2013509154.tif 000035